(57)【要約】【課題】容器を片手で持った状態でも容易に内容液を吐出させることのできる、容器の注出口部に取り付けて用いる片手押しホルダーを提供する。【解決手段】ポンプディスペンサー３０が装着される注出口部２２を有する袋容器２０に取り付けて用いる片手押しホルダー１０であって、奥部凹状部分１２と一対の直線状部分１３とを含むＵ字状切欠き係止部１４を備える基板部１１と、基板部１１から張り出して設けられた張出し指掛け部１６とを含んでいる。張出し指掛け部１６は、基板部１１の平面部１１ａにおける直線状部分１３に沿った部分から張り出して設けられている。片手押しホルダー１０は、Ｕ字状切欠き係止部１４を介して容器２０に装着され、Ｕ字状切欠き係止部１４の周縁部１４ａを、注出口部２２の張出し係止面２７に係止させると共に、張出し指掛け部１６に指を掛けた状態で、ポンプディスペンサー３０のノズルヘッド３３を押し下げ可能とする。【選択図】図１
2020097429.tif 000002
【特許請求の範囲】
【請求項１】
上端部に内容液を吐出させるディスペンサーが装着される注出口部が設けられた容器に、取り付けて用いる片手押しホルダーであって、
一辺部から内方に向けてＵ字形状に切り欠かれたＵ字状切欠き係止部と、該Ｕ字状切欠き係止部の外方に延在する平面部とを備える基板部と、
該基板部における前記平面部から張り出して設けられた張出し指掛け部とを含んでおり、
前記Ｕ字状切欠き係止部は、前記一辺部から最も遠くに位置する奥部凹状部分と、該奥部凹状部分の両端部に各々接続する一対の直線状部分とを有しており、
前記張出し指掛け部は、前記平面部における前記直線状部分に沿った部分から張り出して設けられており、
前記Ｕ字状切欠き係止部に前記注出口部を挿入して前記容器に装着され、前記Ｕ字状切欠き係止部の周縁部を、前記注出口部の張出し係止面に係止させると共に、前記張出し指掛け部に指を掛けた状態で、前記ディスペンサーのノズルヘッドを押し下げ可能とする片手押しホルダー。
【請求項２】
前記張出し指掛け部は、前記平面部における一対の前記直線状部分に沿った部分から各々張り出して、一対設けられている請求項１記載の片手押しホルダー。
【請求項３】
一対の前記張出し指掛け部は、対称な形状となるよう配置されている請求項２記載の片手押しホルダー。
【請求項４】
前記張出し指掛け部は、前記平面部に対して垂直に張り出して設けられている請求項１〜３のいずれか１項記載の片手押しホルダー。
【請求項５】
前記張出し指掛け部は、前記基板部から上方に立設する立設部と、折曲り部又は湾曲部を介して前記立設部の立設方向とは反対の下方に延設する曲折延設部とを含んで形成されている請求項１〜４のいずれか１項記載の片手押しホルダー。
【請求項６】
前記注出口部が前記Ｕ字状切欠き係止部の前記奥部凹状部分に至るまで押し込まれた際に配置される領域が、前記Ｕ字状切欠き係止部における奥部収納部となっており、該奥部収納部の前記一辺部側の部分には、前記Ｕ字状切欠き係止部の両側の側縁部から内側に各々突出して、乗越えリブが設けられている請求項１〜５のいずれか１項記載の片手押しホルダー。
【請求項７】
前記容器の前記注出口部には、円環状に外側に張り出す張出しフランジが、上下方向に離間して二段に設けられており、上段の該張出しフランジの下面によって、前記張出し係止面が形成されており、
前記基板部における前記平面部とは反対側の面には、下方に突出した一対の挿入ガイドリブが設けられている請求項１〜６のいずれか１項記載の片手押しホルダー。
【発明の詳細な説明】
【技術分野】
【０００１】
本発明は、片手押しホルダーに関し、特に、上端部に注出口部が設けられた容器に取り付けて用いる片手押しホルダーに関する。
【背景技術】
【０００２】
近年、環境負荷の低減や省資源化等を目的として、内容液を収容する容器として、容器本体がプラスチック製やガラス製等の硬質の容器からなるものに代えて、好ましくは可撓性を有する樹脂製のシート材料を用いて形成された、袋状の容器本体（袋本体）を備える袋容器が、可撓性容器として多用されている。このような袋容器等の可撓性容器では、容器本体の上端部に設けられた注出口部を介して、ディスペンサーを着脱可能に取り付けたものも知られている（例えば、特許文献１参照）。ディスペンサーは、内容液を容器から汲み上げて吐出させる公知の吐出具であり、吸上げ筒部、ノズルヘッド等を備えている。ディスペンサーは、例えば固定用のキャップ部を介して、可撓性容器の上端部に設けられた注出口部（口首部）に着脱可能に取り付けて用いられ、着脱可能となっていることで、可撓性容器を交換等しながら、繰り返し使用することが可能である。
【０００３】
また、可撓性容器にディスペンサーを装着して用いる場合、可撓性容器の容器本体は、軟質の柔らかいシート材料等の可撓性材料を用いて形成されており、ディスペンサーのノズルヘッドへの押し下げ力を、容器本体によって安定した状態で支持させることが困難なことから、特許文献１では、容器本体に設けられた注出口部を、例えば底板部と、底板部から垂直に立った垂直片と、垂直片の上端に横向きに取付けた略コ字形になった吊支腕とからなる吊下スタンドに、着脱可能に装着して、この吊下スタンドによって押し下げ力を支持させるようになっている。
【先行技術文献】
【特許文献】
【０００４】
【特許文献１】実用新案登録第３０６６８３１号公報
【発明の概要】
【発明が解決しようとする課題】
【０００５】
このような可撓性容器にシャンプーやボディソープなどを収容して用いる場合、最近では、立ったままシャワーを浴びながら用いたいという要望がある。このような場合、片手で容器を持ちながらディスペンサーのノズルヘッドを押し下げて、もう片方の手に内容物を吐出させるといった使い方ができるようにすることが好ましいが、特許文献１に記載の吊下スタンドでは、容器を片手で持った状態で内容液を吐出させることは困難である。
【０００６】
また、可撓性容器に限らず、容器本体がプラスチック製やガラス製等の硬質の容器からなるものについても、例えば容器を片手で持った状態で内容液を容易に吐出できるようにすることが望ましい。
【０００７】
本発明は、容器を片手で持った状態でも、容易に内容液を吐出させることのできる、容器の注出口部に取り付けて用いる片手押しホルダーに関する。
【課題を解決するための手段】
【０００８】
本発明は、上端部に内容液を吐出させるディスペンサーが装着される注出口部が設けられた容器に、取り付けて用いる片手押しホルダーであって、一辺部から内方に向けてＵ字形状に切り欠かれたＵ字状切欠き係止部と、該Ｕ字状切欠き係止部の外方に延在する平面部とを備える基板部と、該基板部における前記平面部から張り出して設けられた張出し指掛け部とを含んでおり、前記Ｕ字状切欠き係止部は、前記一辺部から最も遠くに位置する奥部凹状部分と、該奥部凹状部分の両端部に各々接続する一対の直線状部分とを有しており、前記張出し指掛け部は、前記平面部における前記直線状部分に沿った部分から張り出して設けられている。片手押しホルダーは、前記Ｕ字状切欠き係止部に前記注出口部を挿入して前記容器に装着され、前記Ｕ字状切欠き係止部の周縁部を、前記注出口部の張出し係止面に係止させると共に、前記張出し指掛け部に指を掛けた状態で、前記ディスペンサーのノズルヘッドを押し下げ可能とする。
【発明の効果】
【０００９】
本発明の片手押しホルダーによれば、容器を片手で持った状態でも、容易に内容液を吐出させることができる。
【図面の簡単な説明】
【００１０】
【図１】本発明の好ましい一実施形態に係る片手押しホルダーを、可撓性容器である袋容器に取り付けた状態の斜視図である。
【図２】本発明の好ましい一実施形態に係る片手押しホルダーを、袋容器の注出口部に装着する状況を説明する斜視図斜視図である。
【図３】（ａ）は、片手押しホルダーを斜め上方から見た斜視図であり、（ｂ）は、斜め下方から見た斜視図である。
【図４】片手押しホルダーと組み合わせて用いる、可撓性容器である袋容器を例示する側面図である。
【図５】（ａ）は、袋容器の上端部に注出口部を形成する注出口部材の斜視図、（ｂ）は側面図である。
【図６】（ａ）〜（ｄ）は、片手押しホルダーの他の形態を例示する斜視図である。
【発明を実施するための形態】
【００１１】
図１〜図３に示す本発明の好ましい一実施形態に係る片手押しホルダー１０は、ディスペンサーが装着される注出口部が設けられた容器として、好ましくは可撓性材料を用いて形成された袋容器２０に取り付けて用いられる（図１参照）。袋容器２０は、内容液を収容する袋本体（容器本体）２１の上端部を形成する天面部２４に、ディスペンサー（吐出具）として例えばポンプディスペンサー３０が取り付けられて、ポンプディスペンサー付きの袋容器（図４参照）として用いられる。本実施形態の片手押しホルダー１０は、少ない樹脂量で形成できると共に、例えば立ったまま袋容器２０を片手で持った状態でも、ポンプディスペンサー３０から内容液を容易に吐出できるようにする機能を備えている。
【００１２】
そして、本実施形態の片手押しホルダー１０は、好ましくは可撓性材料を用いて形成され、上端部となる天面部２４に内容液を吐出させるポンプディスペンサー３０が装着される注出口部（口首部）２２が設けられた袋容器２０に、取り付けて用いる、片手押しによる操作を可能にするホルダーである。片手押しホルダー１０は、図２及び図３（ａ）、（ｂ）に示すように、一辺部から内方に向けてＵ字形状に切り欠かれた、Ｕ字状切欠き係止部１４と、該Ｕ字状切欠き係止部１４の外方に延在する平面部１１ａとを備える基板部１１と、該基板部１１における平面部１１ａから張り出して設けられた張出し指掛け部１６とを含んでいる。Ｕ字状切欠き係止部１４は、一辺部から最も遠くに位置する奥部凹状部分１２と、該奥部凹状部分１２の両端部に各々接続する一対の直線状部分１３とを有しており、張出し指掛け部１６は、平面部１１ａにおける直線状部分１３に沿った部分から張り出して設けられている。片手押しホルダー１０は、Ｕ字状切欠き係止部１４に注出口部２２を挿入して容器２０に装着され、Ｕ字状切欠き係止部１４の周縁部１４ａを、注出口部２２の張出し係止面２７（図２参照）に下方から係止させると共に、張出し指掛け部１６に指を下方から掛けた状態で、ポンプディスペンサー３０のノズルヘッド３３を押し下げ可能となっている。
【００１３】
また、本実施形態では、張出し指掛け部１６は、基板部１１の平面部１１ａにおける一対の直線状部分１３に沿った部分から各々張り出して、好ましくは一対設けられており、一対の張出し指掛け部１６は、好ましくはＵ字状切欠き係止部１４を中心として対称な形状となるように配置されている。
【００１４】
さらに、本実施形態では、張出し指掛け部１６は、好ましくは基板部１１の平面部１１ａに対して垂直に張り出して設けられている。
【００１５】
本実施形態では、片手押しホルダー１０が取り付けられる可撓性容器である袋容器２０は、図４に示すように、可撓性を備える軟質の柔らかいシート材料を用いて形成された袋本体２１と、袋本体２１の上端部に設けられた注出口部（口首部）２２とを含んで構成されている。袋容器２０の上端部は、袋本体２１の好ましくは天面シート２４ａによる天面部２４によって形成されている。注出口部２２は、袋容器２０の上端部を形成する袋本体２１の天面部２４に、注出口部材２３（図５（ａ）、（ｂ）参照）を取り付けることによって、袋容器２０の上端部に設けられている。袋本体２１の天面部２４による袋容器２０の上端部には、注出口部材２３による注出口部２２を介して、ポンプディスペンサー３０を取り付けることができる。
【００１６】
袋本体２１は、例えば、ＰＰ（ポリプロピレン）、ＰＥ（ポリエチレン）といったポリオレフィン樹脂、ＰＥＴ（ポリエチレンテレフタレート）などのポリエステル樹脂、ポリアミド樹脂、ナイロン樹脂等からなる合成樹脂製のフィルム材シート、合成樹脂製のフィルムとアルミニウム等の金属との積層体からなるフィルム材シート、或いは合成樹脂製のフィルムにアルミニウム等の金属を蒸着したフィルム材シート等、又はこれらの組み合わせからなる単層、若しくは多層の積層シートによって形成されているが、これらに制限されるものではない。本実施形態では、公知の各種の方法により、天面シート２４ａと側面シート２５ａと底面シート２６ａとを接合することで、天面シート２４ａによる天面部２４と、側面シート２５ａによる側面部２５と、底面シート２６ａによる底面部２６とを含む、有底及び有天の縦長筒状の袋本体２１が形成されている。
【００１７】
なお、袋本体２１は、側面部を構成する正面シートの側部と背面シートの側部との間に２つ折りされた側面シートを挟み込むことによって形成される、ガセット形状等を備える袋本体であっても良い。また、袋本体２１は、天面シートや底面シートを含むものである必要は必ずしも無く、パウチ形状等を備える袋本体であっても良い。
【００１８】
袋本体２１の天面シート２４ａによる天面部２４に取り付けられる注出口部材２３は、図５（ａ）、（ｂ）に示すように、例えばＰＥ（ポリエチレン）、ＰＰ（ポリプロピレン）等のポリオレフィン樹脂、ＰＥＴ（ポリエチレンテレフタレート）などのポリエステル樹脂、ポリアミド樹脂、ポリ塩化ビニル、ポリスチレン、ポリ乳酸等の合成樹脂からなる公知の射出成形品であって、円筒形状の注出口部（口首部）２２と、注出口部２２の下端から外方に向かって平坦に延出する、好ましくは矩形状（正方形状を含む）の平面形状を備える接合プレート２３ａとを有している。注出口部材２３は、注出口部２２を、袋本体２１の天面部２４に設けられた貫通孔に挿通させるとともに、天面部２４の下面に接合プレート２３ａの上面を接合することによって、袋本体２１に取り付けられる（図４参照）。
【００１９】
また、注出口部２２の外周部分には、円環状に外側に張り出して、二段の張出しフランジ２２ａ，２２ｂが、上下に間隔をおいて（上下方向に離間して）設けられている。本実施形態では、上段の張出しフランジ２２ｂの下面によって、張出し係止面２７が形成されている。これらの二段の張出しフランジ２２ａ，２２ｂの間の部分の注出口部２２は、張出しフランジ２２ａ，２２ｂよりも一回り小さな円形断面における、正方形状の接合プレート２３ａの各辺部に面した部分が直線状に面取りされた、略八角形の横断面形状を備える挿入スライド部２２ｃとなっている。下段の張出しフランジ２２ａよりも下方部分、及び上段の張出しフランジ２２ｂよりも上方部分の注出口部２２は、挿入スライド部２２ｃの面取りされた背向する一対の平行な面の間の横幅と同様の外径の、円筒形状の部分となっている。注出口部２２における上段の張出しフランジ２２ｂよりも上方の外周部分には、雄ネジ凸条２２ｄが設けられている。この雄ネジ凸条２２ｄに、ポンプディスペンサー３０の固定用キャップ部３１（図４参照）を螺着することにより、ポンプディスペンサー３０を、注出口部材２３による注出口部２２を介して袋本体２１の天面部２４に、取り付けることができるようになっている。
【００２０】
ポンプディスペンサー３０は、例えば実開平６−３９７５２号公報に記載のポンプ式吐出容器に使用したものと同様の構成を備える、ポンプ式のディスペンサーを用いることができる。ポンプディスペンサー３０は、図２及び図４に示すように、固定用キャップ部３１、ポンプハウジング（図示せず）、吸上げ筒部（図示せず）、ノズルヘッド３３等を備えている。固定用キャップ部３１は、内側面に雌ネジ凸条が形成された円筒状部分を有しており、上述のように、外周部分に雄ネジ凸条２２ｄが形成された注出口部材２３による注出口部２２に螺着することによって、ポンプディスペンサー３０を袋本体２１の天面部２４に取り付け可能となっている。
【００２１】
ポンプディスペンサー３０のポンプハウジングは、内部に設けられたポンプ室を拡縮するピストン（図示せず）、ポンプ室と連通可能な吐出通路を備えるステム（図示せず）、ボール弁（図示せず）等を備える公知のものであり、ポンプハウジングから外部に突出するステムの端部には、ステムの吐出通路と連通するノズル部３３ａを備えたノズルヘッド３３が装着されている。ポンプディスペンサー３０のポンプハウジングによる吐出機構では、ノズルヘッド３３を押し下げることにより、ステムが往動してピストンが下降すると、そのピストンによって圧縮されたポンプ室内の内容液が、ステム内の吐出通路を経てノズル部３３ａから吐出される。他方、内容液の吐出後に、バネ等の付勢力等によりステムが復動すると、袋本体２１に収容された内容液が、吸上げ筒部を介して、ポンプハウジング内の減圧されたポンプ室に吸い込まれる。このようなノズルヘッド３３への押圧操作を所定回数行うことによって、必要量の内容液を袋本体２１から吸い上げて、ノズル部３３ａを介して吐出させることができるようになっている。
【００２２】
本実施形態では、上端部に注出口部２２が設けられた上述の袋容器２０に、取り付けて用いる片手押しホルダー１０は、例えばＰＰ（ポリプロピレン）、ＡＢＳ（アクリロニトリル・ブタジエン・スチレン共重合合成樹脂）、アクリル、ポリエステル、ＰＣＴ（ポリシクロへキシレン・ジメチレン・テレフタレート）、ＳＡＮ（スチレンアクリロニトリルコポリマー）等の合成樹脂からなる射出成形品となっている。図１〜図３（ａ）、（ｂ）に示すように、基板部１１と張出し指掛け部１６とが一体成形されていることが好ましい。
【００２３】
基板部１１は、輪郭形状が略半長円形となっている平面形状を有する板状の部分であって、略半長円形の円弧状部分と対向する一辺部から内方に向けてＵ字形状に切り欠かれた、一辺部から最も遠くに位置する奥部凹状部分１２と、奥部凹状部分１２の両端部に各々接続する一対の直線状部分１３とを含むＵ字状切欠き係止部１４が形成されていることにより、全体として、Ｕ字状切欠き係止部１４と略相似形状の、Ｕ字状の平面形状を備えている。基板部１１における、Ｕ字状切欠き係止部１４の周縁部１４ａの外方に延在する平坦な部分は、平面部１１ａとなっている。Ｕ字状切欠き係止部１４が切り欠かれた基板部１１の一辺部には、当該Ｕ字状切欠き係止部１４への導入部１４ｂを開口させている。袋容器２０の注出口部２２が奥部凹状部分１２に至るまで押し込まれた際に、当該注出口部２２が配置される領域が、Ｕ字状切欠き係止部１４における奥部収納部１４ｃとなっており、この奥部収納部１４ｃよりもＵ字状切欠き係止部１４が切り欠かれた一辺部側の部分には、Ｕ字状切欠き係止部１４の両側の縁部から内側に各々突出して、乗越えリブ１４ｄが設けられている
【００２４】
導入部１４ｂからＵ字状切欠き係止部１４に挿入されて、直線状部分１３によるストレートガイド部によって案内されて乗越えリブ１４ｄに至った袋容器２０の注出口部２２は、乗越えリブ１４ｄを乗り越えることによって、適度なクリック感を伴いながら、Ｕ字状切欠き係止部１４の奥部収納部１４ｃに、係止された状態で納められることになる。
【００２５】
また、本実施形態では、Ｕ字状切欠き係止部１４は、注出口部２２が係止された状態で納められる奥部収納部１４ｃよりも導入部１４ｂ側の部分である、乗越えリブ１４ｄよりも導入部１４ｂ側の部分に、両側の縁部が注出口部２２の横幅と同様の間隔をおいて平行に延設する、直線状部分１３によるストレートガイド部を備えている。本実施形態では、直線状部分１３によるストレートガイド部は、袋容器２０の注出口部２２の横幅と同様の間隔として、注出口部２２に設けられた二段の張出しフランジ２２ａ，２２ｂの間の部分の、略八角形の横断面形状を備える挿入スライド部２２ｃ（図５（ａ）、（ｂ）参照）における、直線状に面取りされた背向する一対の平行な面の間の横幅と同様の間隔をおいて、平行に延設して設けられている。
【００２６】
これによって、袋容器２０の注出口部２２は、斜めに倒れた状態で挿入されるのを回避しつつ、挿入スライド部２２ｃにおける背向する一対の平行な面を、直線状部分１３によるストレートガイド部に各々沿わせるようにして案内させながら、奥部収納部１４ｃに至るまで、安定した状態で誘導されて、Ｕ字状切欠き係止部１４の内側をスライド移動するようになっている。このような観点から、Ｕ字状切欠き係止部１５の直線状部分１３によるストレートガイド部は、奥部収納部１４ｃから導入部１４ａ側に向けて、注出口部２２の横幅の５０％以上の長さ領域に設けられていることが好ましく、８０％以上の長さ領域に設けられていることが更に好ましい。また、Ｕ字状切欠き係止部１４の直線状部分１３によるストレートガイド部は、奥部収納部１４ｃから導入部１５ａ側に向けて、１０ｍｍ以上の長さ領域に設けられていることが好ましく、１５ｍｍ以上の長さ領域に設けられていることが更に好ましい。
【００２７】
本実施形態では、基板部１１におけるＵ字状切欠き係止部１４の周縁部１４ａが、Ｕ字状切欠き係止部１４に袋容器２０の注出口部２２が押し込まれるようにして挿入された際に、注出口部２２の上段の張出しフランジ２２ｂによる張出し係止面２７に下方から係止される、係止フランジとして機能するようになっている。また、係止フランジとして機能する基板部１１のＵ字状切欠き係止部１４の周縁部１４ａには、これの内側に、奥部収納部１４ｃや、乗越えリブ１４ｄや、導入部１４ｂと乗越えリブ１４ｄとの間の直線状部分１３によるストレートガイド部が設けられている。さらに、Ｕ字状切欠き係止部１４の周縁部１４ａには、少なくともＵ字状切欠き係止部１４の乗越えリブ１４ｄよりも奥側の奥部収納部１４ｃの周縁部に、乗上げ段部１４ｅが設けられている。乗上げ段部１４ｅには、乗越えリブ１４ｄよりも導入部１４ｂ側に設けられたスロープ部１４ｆを介して、注出口部２２の上段の張出しフランジ２２ｂが乗り上げた状態で、注出口部２２が、奥部収納部１４ｃに係止された状態で納められるようになっている。Ｕ字状切欠き係止部１４の奥部収納部１４ｃの周縁部１４ａに、乗上げ段部１４ｅが設けられていることより、注出口部２２の上段の張出しフランジ２２ｂによる張出し係止面２７に、より安定した状態で、係止フランジとして機能する奥部収納部１４ｃの周縁部１４ａを係止することが可能になる。
【００２８】
また、本実施形態では、基板部１１におけるＵ字状切欠き係止部１４を挟んだ両側部分の平面部１１ａとは反対側の面から下方に突出して、一対の挿入ガイドリブ１７が、Ｕ字状切欠き係止部１４の直線状部分１３によるストレートガイド部と平行に延設して設けられている。一対の挿入ガイドリブ１７は、袋容器２０の注出口部２２に設けられた下段の張出しフランジ２２ａの外径よりも、僅かに大きな間隔を置いて配置されている。すなわち、一対の挿入ガイドリブ１７は、直線状部分１３によるストレートガイド部の間隔よりも大きな間隔を置いて配置されている。一対の挿入ガイドリブ１７が設けられていることにより、Ｕ字状切欠き係止部１４に注出口部２２を挿入する際に、二段の張出しフランジ２２ａ，２２ｂの間ではなく、下段の張出しフランジ２２ａと袋本体２１の天面部２４との間に誤って挿入してしまうことを抑制することができる。また、Ｕ字状切欠き係止部１４に注出口部２２を挿入する際に、これらの一対の挿入ガイドリブ１７が、袋本体２１の天面部２４（天面シート２４ａ）に当接可能となるように、一対の挿入ガイドリブ１７の高さを設定することが好ましい。一対の挿入ガイドリブ１７が、袋本体２１の天面部２４（天面シート２４ａ）に当接可能となることによって、これらの挿入ガイドリブ１７によってガイドさせながら、Ｕ字状切欠き係止部１４に、袋容器２０の注出口部２２の二段の張出しフランジ２２ａ，２２ｂの間の部分の挿入スライド部２２ｃを、より安定した状態で、奥部収納部１４ｃに至るまで、押し込むようにして挿入して行くことが可能になる。
【００２９】
張出し指掛け部１６が、基板部１１の平面部１１ａから上方に立設する立設部１６ａと、立設部１６ａの立設方向とは反対の下方に延設する曲折延設部１６ｂとを含んで形成されていることにより、張出し指掛け部１６を吊り下げ用の係止部として機能させて、片手押しホルダー１０が取り付けられた袋容器２０を、張出し指掛け部１６を介して吊り下げた状態で、置き場所に置いておくことが可能になる。これによって、容器の使用場所が濡れ易い水回りの領域であっても、置き場所を選ぶことなく、吊り下げた状態で衛生的に保管しておくことが可能になる。
【００３０】
上述の構成を備える片手押しホルダー１０を、ポンプディスペンサー３０が装着される注出口部２２が設けられた袋容器２０に取り付けるには、例えば図２に示すように、片手押しホルダー１０の向き及び高さ位置を適宜調整して、注出口部２２の上段の張出しフランジ２２ｂと下段の張出しフランジ２２ａとの間の挿入スライド部２２ｃに、Ｕ字状切欠き係止部１４への導入部１４ｂを対向させて配置すると共に、挿入スライド部２２ｃの背向する一対の平行な面に、Ｕ字状切欠き係止部１５の直線状部分１３によるストレートガイド部を沿わせるように位置決めして、注出口部２２を、導入部１４ｂを介してＵ字状切欠き係止部１４の内側に押し込むようにして挿入する。これによって、注出口部２２は、乗越えリブ１４ｄを乗り越えてＵ字状切欠き係止部１４の奥部凹状部分１２に至り、奥部収納部１２に納められた状態で係止されることで、片手押しホルダー１０が、安定した状態で注出口部２２にしっかりと取り付けられる（図１参照）。
【００３１】
またこれによって、注出口部２２をＵ字状切欠き係止部１４に挿入装着して片手押しホルダー１０が取り付けられた袋容器２０を、好ましくは片手で把持して、例えば立ったままの状態で、Ｕ字状切欠き係止部１４の周縁部１４ａを注出口部２２の上段の張出しフランジ２２ｂによる張出し係止面２７に下方から係止させると共に、例えば親指以外の指の指腹部を張出し指掛け部１６に下方から掛けた状態で、ポンプディスペンサー３０のノズルヘッド３３を、例えば親指によって押圧することにより、容易に且つスムーズに当該ノズルヘッド３３を押し下げることが可能になる。ノズルヘッド３３を押し下げる際に、注出口部２２の張出し係止面２７に係止されたＵ字状切欠き係止部１４の周縁部１４ａ、及び張出し指掛け部１６を介して、張出し指掛け部１６に係止した指によって、押し下げ力を安定した状態で下方から支持することが可能になる。
【００３２】
また、張出し指掛け部１６は、平面部１１ａにおける一対の直線状部分１３に沿った部分において、乗越えリブ１４ｄよりも奥部凹状部分１２に近い部分から張り出して設けられていることが好ましい。こうすることによって、ノズルヘッド３３を押し下げる際に、張出し指掛け部１６に指を係止したままスムーズに押し下げることが可能になり、袋容器２０が片手押しホルダー１０から脱着することを抑制することができる。
【００３３】
すなわち、本実施形態によれば、ポンプディスペンサー３０のノズルヘッド３３を押し下げる際の支持反力を載置面から得るための、袋容器の容器本体と同様の高さを備えるホルダーのように、多くの樹脂量を要することなく、ノズルヘッド３３を押し下げる際の支持反力を張出し指掛け部１６に係止した指によって得られるようにした、コンパクトで簡易な構成によって、片手押しホルダー１０に要する樹脂量を、大幅に低減することが可能になる。
【００３４】
また、本実施形態の片手押しホルダー１０によれば、袋容器２０を片手で持った状態でも、容易に内容液を吐出させることが可能になる。また、片手押しホルダー１０は床面等に接触させることなく使用できるので、載置面に載置して用いるホルダーのように、例えばインバス使用の際に水垢が生じるのを、効果的の回避することが可能になる。
【００３５】
なお、本発明は、上記の実施形態に限定されることなく種々の変更が可能である。例えば、基板部における平面部の直線状部分に沿った部分から張り出して設けられた張出し指掛け部は、平面部から垂直に張り出している必要は必ずしも無く、平面部と斜めに交差する方向に張り出していても良い。張出し指掛け部は、帯板形状の部分となっている必要は必ずしも無く、例えば図６（ａ）に示すように、木の葉を模した形状の部分として、意匠性を向上させることもできる。張出し指掛け部は、一対の張出し指掛け部を対称な形状となるよう配置して設ける必要は必ずしも無く、例えば図６（ｂ）に示すように、一対の張出し指掛け部を非対称な形状となるよう配置して設けることもできる。例えば図６（ｃ）に示すように、一対の張出し指掛け部を、全体として猫を模した形状となるように設けて、意匠性を向上させることもできる。張出し指掛け部は一対設けられている必要は必ずしも無く、例えば図６（ｄ）に示すように、片側の平面部から張り出して、一箇所のみに設けられても良い。図６（ｄ）に示す片側のみの形態によっても、例えば親指以外の指の指腹部を張出し指掛け部に下方から掛けた状態で、ポンプディスペンサーのノズルヘッドを、親指によって容易に且つスムーズに押し下げることが可能になる。
【００３６】
また、上端部に本発明の片手押しホルダーが取り付けられる容器は、可撓性材料を用いて形成された可撓性容器（袋容器）である必要は必ずしも無く、片手押しホルダーを装着可能な注出口部を上端部に備える、プラスチック製やガラス製等の硬質の容器からなるものであっても良い。このような容器に本発明の片手押しホルダーを取り付けた場合でも、容器を片手で持った状態でポンプディスペンサーのノズルヘッドを押し下げて、容易に内容液を吐出させることが可能である。Ｕ字状切欠き係止部の周縁部を係止させる注出口部の張出し係止面は、注出口部から円環状に外側に張り出して設けられた張出しフランジによって形成される必要は必ずしも無く、例えばポンプディスペンサーを注出口部に装着させる固定用キャップ部の下端面を張出し係止面として、Ｕ字状切欠き係止部の周縁部を係止させることもできる。
【符号の説明】
【００３７】
１０  片手押しホルダー
１１  基板部
１１ａ  平面部
１２  奥部凹状部分
１３  直線状部分
１４  Ｕ字状切欠き係止部
１４ａ  周縁部
１４ｂ  導入部
１４ｃ  奥部収納部
１４ｄ  乗越えリブ
１４ｅ  乗上げ段部
１４ｆ  スロープ部
１５  接続部
１６  張出し指掛け部
１６ａ  立設部
１６ｂ  曲折延設部
１７  挿入ガイドリブ
２０  袋容器（可撓性容器）
２１  袋本体（容器本体）
２２  注出口部（口首部）
２２ａ  下段の張出しフランジ
２２ｂ  上段の張出しフランジ
２２ｃ  挿入スライド部
２３  注出口部材
２３ａ  接合プレート
２４  天面部
２５  側面部
２６  底面部
２７  張出し係止面
３０  ポンプディスペンサー（ディスペンサー）
３１  固定用キャップ部
３３  ノズルヘッド
３３ａ  ノズル部
【図１】
2020097429.tif 000003
【図２】
2020097429.tif 000004
【図３】
2020097429.tif 000005
【図４】
2020097429.tif 000006
【図５】
2020097429.tif 000007
【図６】
2020097429.tif 000008